(57)【特許請求の範囲】
【請求項１】
複数個のケースが連結部から折り返し自在に連結されていると共に、これ等のケースが前記連結部から折り返されていない状態では長大なケースであるもこれ等のケースを前記連結部から折り返した時にはケースが互いに重なり合って包装し易い形状に纒められるように構成されており、且つこれ等のケースを前記連結部から折り返した時には弛んでいるも、これ等のケースの重なり合いを解いて広げて前記連結部から折り返されていない状態の長大なケースにした時に、一端側のケースから中側のケースを通り他端側のケースに、各々のケースの前記連結部がない部位を跨ぐようにして、緊張した状態で架け渡されて、この広げた状態を安定させる紐を備えている、物品等の収容ケース。
【請求項２】
前記連結部から折り返され互いに重なり合って包装し易い形状に纒められたケースが、これを保護するスリーブに納められている、請求項１に記載の物品等の収容ケース。
【請求項３】
重前記連結部から折り返され互いになり合って包装し易い形状に纒められたケースが包装紙によって包装されて成る、請求項１に記載の物品等の収容ケース。
【請求項４】
複数個のケースの各々がケースを保護するスリーブに納められており、これ等のケースを納めたスリーブが連結部から折り返し自在に連結されていると共に、これ等のスリーブが前記連結部から折り返されていない状態では長大なケースであるもこれ等のスリーブを前記連結部から折り返した時にはケースが互いに重なり合って包装し易い形状に纒められるように構成されており、且つケースを納めたこれ等のスリーブの重なり合いを解いて広げて前記連結部から折り返されていない状態の長大なケースにした時に、これ等のスリーブはその隣合うスリーブに接する側の何れか一側に剥離紙を被せた粘着面を備えて、この粘着面の接着力により長大な状態を安定に保つようにして成る、物品等の収容ケース。
【発明の詳細な説明】
【技術分野】
【０００１】  この発明は、長大な意匠を有するモデルを表した物品等の収容ケースでありながら、販売時にはコンパクトにして包装することが可能な新規な構造を備えている物品等の収容ケースに関するものである。
【背景技術】
【０００２】  従来より菓子函に代表されるような物品等の収容ケースとしては直方体や立方体などの包装し易いものが多用されて来た。これに対して外観意匠に優れた紙函が各種提案されている。特開２００４−３１４９９６は組み立てや分解を容易にしたハート型を呈する紙函に関するものである。
【先行技術文献】
【特許文献】
【０００３】
【特許文献１】特開２００４−３１４９９６「組立式紙函」
【発明の概要】
【発明が解決しようとする課題】
【０００４】  確かに特開２００４−３１４９９６は外観意匠に優れてはいるが、複雑形状を呈する他の函体同様、直方体や立方体のものに比べて包装紙による包装が綺麗に出来ないと言う欠点を有する。【０００５】  一方東京タワーのような高い塔や、新幹線などの鉄道車両や東京駅の駅舎や世界を巡る豪華客船などのように縦や横に長い建造物をモデルにして、その全体を絵や写真で大きく表現した函体を作った場合には、見本として展示するのはよいとしても、この包装は技術的にも時間的にもコスト的にも困難であり、またこれを購入した人にとってはバッグへの収納や持ち運びが大変であると言う問題がある。従ってこれまでは縦や横に長過ぎる収容ケースと言うものは技術的には作れても現実的には売り場に置くことが出来なかったのである。【０００６】  そこでこの発明は、包装や収納・運搬を従来通りに行えるようにすると共に、家に持ち帰ってからは長大な意匠を有するタワーや鉄道車両や駅舎や豪華客船を再現して見せて、その収容物を引き立てることが出来るような、そうした新規な構造を備えた物品等の収容ケースを提供することを課題とするものである。
【課題を解決するための手段】
【０００７】  上記課題は、複数個のケースが連結部から折り返し自在に連結されていると共に、これ等のケースを連結部から折り返した時に、ケースが互いに重なり合って包装し易い形状に纒められるように構成されていることを特徴とする、物品等の収容ケースとすることにより達成される。【０００８】  複数個のケースは連結部を有するも、折り返していない状態では縦方向や横方向に長大な状態であるから、ここに表されているタワーや鉄道車両や駅舎や豪華客船などを長大なままに見せてインパクトを与えることが出来る。これに対して包装時には前記連結部から折り返すことによりケースが互いに重なり合って包装し易い形状に纒めることが出来る。従ってこの発明の収容ケースはコンパクトに纒められたほぼ直方体やほぼ立方体のものとなるため、包装を行ったり持ち運んだりすることが容易である。この纒められた状態が例えば台形状であっても包装には問題は殆どない。なお菓子の土産物などでは包装を行った状態で陳列展示されているが、このような陳列展示に際してもコンパクトである。なお収容ケースの収容物には土産の菓子や自動車の模型など任意であり、複数個のケースは収容ケースごとに収容物を違えるようにすることが可能である。【０００９】  また、ケースの重なり合いを解いて折り返していない状態に広げた時に、この広げた状態を安定させるための安定化手段を備えているものとしても良い。安定化手段としては、連結部から折り返されることを防ぐようなものであれば良い。例えば粘着シールによる固定や、前記連結部がない側に対しゴム紐を掛けることによって半固定を行うようにするのである。このようにしてタワーや鉄道車両や駅舍や豪華客船などを表現した収容ケースを、長大なまま安定して見せることが出来る。【００１０】  また、重なり合って一つに纒められたケースがこれを保護するスリーブに納められているものとしても良い。スリーブに納められた状態では、陳列展示や包装や持ち運びが容易であると共にスリーブが収容ケースを保護する役割を担う。【００１１】  また、重なり合って一つに纒められたケースが包装紙によって包装されて成るものとしても良い。包装された状態で陳列展示しておけば、販売時に包装紙による包装の手間を省くことが出来る。なおスリーブを用いる場合と同様であるが、展示用に折り返していない状態の長大なものを置いておけば、消費者には分かり易い。【００１２】  さて上記の課題は、複数個のケースの各々がケースを保護するスリーブに納められており、これ等のスリーブが連結部から折り返し自在に連結されていると共に、これ等のスリーブを連結部から折り返した時に、ケースを納めたスリーブが互いに重なり合って包装し易い形状に纒められるように構成されていることを特徴とする、物品等の収容ケースとすることにより達成される。【００１３】  各々のケースを納めたスリーブは、連結部から折り返していない状態では縦方向や横方向に長大である。従ってこの長大なスリーブにタワーや鉄道車両や駅舎や豪華客船などを印刷するなどして長大なままに表すことが出来る。これに対して包装時には前記スリーブの連結部から折り返すことにより、ケースがスリーブごと互いに重なり合って包装し易い形状に纒ま���のである。【００１４】  また、ケースを納めたスリーブの重なり合いを解いて広げた時に、この広げた状態を安定させるための安定化手段をケースまたはスリーブに備えているものとしても良い。後者では連結部から折り返されることを防ぐような安定化手段として、スリーブに対して、例えば上述した粘着シールによる固定やゴム紐を掛けることによる半固定を行うようにするのである。このようにしてタワーや鉄道車両や駅舎や豪華客船などを表現した収容ケースを、長大なまま安定して見せることが出来る。【００１５】  次に上記の課題は、各々独立した複数個のケースが互いに重なり合って包装し易い形状に纒め得るように構成されていると共に、ケースの重なり合いを解いた時に、各々独立したケースを連結してこの状態を固定するための連結手段を備えていることを特徴とする、物品等の収容ケースとすることにより達成される。【００１６】  また上記課題は、各々独立していると共に各々がケースを保護するスリーブに納められた複数個のケースが互いに重なり合って包装し易い形状に纒め得るように構成されていると共に、ケースを納めたスリーブの重なり合いを解いた時に、各々独立しているスリーブを連結してこの状態を固定するための連結手段を備えていることを特徴とする、物品等の収容ケースとすることにより達成される。【００１７】  これ等は何れも上述した他の収容ケースとは異なり、折り返し自在に連結される連結部を備えてはおらず、ケースやスリーブの重なり合いを解いてから連結して固定するための連結手段を備えている。従って纒められて包装された状態では陳列展示や持ち運びなどに便利であり、包装を解いてからケース同士やスリーブ同士を連結手段で連結すれば、タワーや鉄道車両や駅舎や豪華客船などを表現した収容ケースを長大なままスケール感たっぷりに、迫力いっぱいに見せることが出来るのである。
【発明の効果】
【００１８】  この発明によれば、包装や収納・運搬を従来通りに行うことが出来ると共に、家に持ち帰ってからはタワーや鉄道車両や駅舎や豪華客船のような長大な意匠を有するものをワイドに再現して見せて、その収容物を引き立てることが出来ると言う効果を奏する。
【図面の簡単な説明】
【００１９】
【図１】  第１実施形態の展示状態を示した斜視図である。
【図２】  同実施形態の重合状態の一部を切欠した説明図である。
【図３】  第２実施形態の重合状態を示した説明図である。
【図４】  第３実施形態の展示状態を示した説明図である。
【図５】  第４実施形態の重合状態を示した説明図である。
【図６】  第５実施形態の動作状態を示した斜視図である。
【図７】  第６実施形態の動作状態を示した説明図である。
【発明を実施するための形態】
【００２０】  以下ではこの発明の６種の実施形態を図面を参照しつつ説明するが、この発明はこれ等の実施形態にのみ限定されるものではなく、この発明の思想の範囲内に於いて自由に設計変更が可能である。
【００２１】  第１実施形態
図１及び図２で表わしたこの実施形態の物品等の収容ケースは紙製の菓子函に関するものである。この菓子函１は中央の紙ケース１１とその上下に位置させた前記紙ケース１１の半分の大きさの紙ケース１０，１２とから成る（何れも奥行きは同一寸法である）。これ等の紙ケースはその一面側の隣合う端部で、連結部としての連結紙１３によって折り返し自在に連結されている。図中で符号１４は折り線を指している。図２で表すように、この連結紙１３の折り線１４から矢線で示す方向に折り返した時に、上下の紙ケース１０，１２が中央部分の紙ケース１１に重なり合って都合良く包装し易い形状に纒まるように成っている。これは図１の長尺で包装し難いものとは対照的なものである。
【００２２】  また上側の紙ケース１０の頂部中央、及び下側の紙ケース１２の底部中央には何れも挿通孔１５が開孔されており、この挿通孔１５，１５の間にゴム紐１６が架け渡されている。このゴム紐１６の長さは、紙ケース１０，１１，１２の重なり合いを解いて折り返していない状態に広げた時に、前記連結紙１３による連結部がある面とは反対側の面にゴム紐１６が架け渡されて、紙ケース１０，１１，１２の重なり合いが解けずに安定する程度にテンションを掛けるのに都合が良い長さと成っている。すなわちこのゴム紐１６が、広げた状態を安定させるための安定化手段である（図１を参照）。なおゴム紐１６の両端部分には小さな棒状の金属製のストッパ１９が、ゴム紐１６とストッパ１９とでＴ字形状を呈するように設けられている。従ってこのストッパ１９を前記挿通孔１５から中に挿入するようにすれば、ゴム紐１６の両端部分を紙ケース１０と紙ケース１２とに固定することが出来る。なお紙ケース１０，１１，１２を広げて縦長の状態で立てた時に姿勢が安定するように、紙ケース１２の底部に台紙１８を貼り付けるようにしても良い。
【００２３】  この実施形態の紙製の菓子函は、展示する際には図１で表したように縦置きにするものであり、紙ケース１０，１１，１２の同じ側の面が繋ってワイド表示画面１７，１７，１７が形成される。従ってここに例えば東京タワーのような極めて長尺の建造物を全景としてワイドに印刷することが出来る。これによりこの種建造物を長大なままに見せてインパクトを与えることが出来るのである。
【００２４】  第２実施形態
図３はこの実施形態の菓子函２を表したものであり、その殆どの構成を上述した第１実施形態の構成に倣うものであるが、販売時に既に包装されたものとして提供される点で異なる。すなわち中央の紙ケース２１とその上下に位置させた紙ケース２０，２２とはその一面側の隣合う端部で、中央に折り線２４のある連結紙２３によって折り返し自在に連結されており、図３で表すように連結紙２３の折り線２４から折り返した時に、上下の紙ケース２０，２２が中央の紙ケース２１に重なり合い都合良く包装し易い形状に纒まるように成っている。また上側となる紙ケース２０と下側となる紙ケース２２とに開孔された挿通孔２５には前記安定化手段としてのゴム紐２６が架け渡されている。
【００２５】  そしてこれ等の紙ケース２０，２１，２２を連結紙２３の折り線２４から折り返した状態で、この状態の紙ケース２０，２１，２２に合致する寸法のスリーブ２７を被せて、すでに包装されたものとして提供し得るようになっている。なお図３中で鎖線で表したように、この紙製のスリーブ２７の上を更に包装紙２８でくるむようにして提供するようにしても良い。
【００２６】  第３実施形態
図４で表わしたものは紙製の菓子函３に関するものであるが、この菓子函３は同一寸法の３つの紙ケース３０，３１，３２が横長となるように、且つ尺取虫の如くに折れるように、紙ケース３０，３１，３２間が連結紙３３で折り返し自在に連結されている。紙ケース３１と紙ケース３２との接続では連結紙３３は図４の手前側に設けられ、また紙ケース３０と紙ケース３１との接続では連結紙３３は図４の裏側に設けられている。この構成によって３つの紙ケース３０，３１，３２が広げた状態では横長であり尺取虫の如くに折り畳むと互いに重なり合い、重なった時には都合良く包装し易い形状に纒まるように成るのである。なお図中符号３４は折り線を指している。
【００２７】  そして３つの紙ケース３０，３１，３２を横長に広げた時の安定化手段としては、両側に位置する紙ケース３０，３２に付いて、中央に位置する紙ケース３１に面する側の側面部に切り込みを設けて起した挿通片３５，３５と、これを挿通可能に設けられた紙ケース３１側の両側面部の挿通口３６との組み合わせを上げる。すなわち３つの紙ケース３０，３１，３２を前記連結紙３３の部位を折り線３４から広げて横長にした際に、各々挿通片３５，３５を挿通口３６に挿し通して、容易には前記連結紙３３部分から折り畳めないようにすることで、紙ケース３０，３１，３２の同じ側の面が繋ってワイド表示画面３７，３７，３７が形成された状態を安定に保つことが可能となる。従ってここで例えば新幹線車両のような極めて長尺のものを長大なままにワイドに見せてインパクトを与えることが出来るのである。
【００２８】  第４実施形態
図５で表わしたこの実施形態の物品等の収容ケースは紙製の菓子函に関するものである。この菓子函４は、中央のスリーブ４１が被せられた紙ケース４６と、その上下に位置させた前記紙ケース４６の半分の大きさの紙ケース４５（これにもスリーブ４０が被せられている）と紙ケース４７（同様にスリーブ４２が被せられている）とから成る。この３つの紙ケース４５，４６，４７はすなわち３つのスリーブ４０，４１，４２は何れも奥行きが同一寸法のものである。そして、これ等のスリーブ４０，４１，４２はその一面側の隣合う端部で、連結部としての連結紙４３によって折り返し自在に連結されている。図中で符号４４は折り線を指している。従って図５で表すように、この連結紙４３の折り線４４から矢線で示す方向とは逆の方向に折り返した時に、各々紙ケース４５，４７を包む上下のスリーブ４０，４２が、中央の紙ケース４６を包むスリーブ４１に重なり合って都合良く包装し易い形状に纒まるように成っている。
【００２９】  また前記連結紙４３の折り線４４から矢線で示した方向に広げた時に、中央のスリーブ４１に重なり合う側のスリーブ４０，４２の側壁部に剥離紙４９を被せた粘着面４８を形成して、この実施形態の安定化手段と為した。この粘着面４８の接着力により横長の状態を安定に保つことが出来るが、このように固定してしまったとしても、紙ケース４５，４６，４７は容易にスリーブ４０，４１，４２から取り出すことが出来ると言う特長がある。
【００３０】  第５実施形態
図６で表わしたこの実施形態の物品等の収容ケースは合成樹脂製の小物入れ５に関するものである。この小物入れ５は合成樹脂製のスリーブ５０，５１が連結部５２にて折り返し自在に連結されている。スリーブ５０内には引き出しとしての合成樹脂ケース５３が、またスリーブ５１内には合成樹脂ケース５４が納められている。スリーブ５０，５１はすなわち合成樹脂ケース５３，５４は同一寸法のものであり、連結部５２から折り返すと重なり合って都合良く包装し易い形状に纒まるように成っている。なおスリーブ５０，５１は更に連結数を増やすことが可能である。
【００３１】  さて上述した第４実施例では、安定化手段としての剥離紙４９付き粘着面４８がスリーブ４０，４２に設けられていた。これに対してこの第５実施形態では、安定化手段としての面ファスナ５５，５６が合成樹脂ケース５３，５４の相対する側の側壁部に設けられている。この面ファスナ５５，５６は一方がオスであれば他方はメスであるものとする。従ってスリーブ５０，５１を広げた状態を安定的に保つことが出来るのである。なお面ファスナ５５，５６は着離自在であるから、再びスリーブ５０，５１を連結部５２から折り返すことが可能である。
【００３２】  第６実施形態
図７で表わしたこの実施形態の物品等の収容ケースは木製の小物入れ６に関するものである。この小物入れ６は同一寸法の３つの木製ケース６０，６１，６２の組から成っている。これ等は、図７で鎖線で表したように、重ねて包装に適する形状に纒めることが出来るようになっている。
【００３３】  この実施形態の小物入れ６に特徴的な構成は、３つの木製ケース６０，６１，６２を横長に広げて繋げる際の接続手段兼安定化手段として、両側に位置する所の木製ケース６０，６２に付いて、中央に位置する木製ケース６１に面する側の側面部に、木製ケース６０には鉄薄板６３が、また木製ケース６２にはゴム磁石６４が設けられている点であり、この各々に対応させて木製ケース６１に鉄薄板６３とゴム磁石６４とが設けられている点にある。従って鉄薄板６３にゴム磁石６４を吸着させることにより、３つの木製ケース６０，６１，６２を横長に広げて接続することが可能となり、木製ケース６０，６１，６２の同じ側の面が繋ってワイド表示面６５，６５，６５が形成された状態を安定に保つことが可能となる。すなわちここで例えば新幹線車両のような極めて長尺のものを長大なままにワイドに見せて、インパクトを与えることが出来るのである。なおワイド表示面６５は４面あるため、４つの異なる視点や、４つの異なる建造物を表示し得るのである。なお更に１６種類の組み合わせの変化を見せることも出来る。
【産業上の利用可能性】
【００３４】  この発明の物品等の収容ケースは商品販売用に用いられるのみならず、宣伝用品の展示などにも利用可能である。
【符号の説明】
【００３５】  １：菓子函    １０〜１２：紙ケース  １３：連結紙  １４：折り線
１５：挿通孔    １６：ゴム紐    １７：ワイド表示面  １８：台紙
１９：ストッパ
２：菓子函    ２０〜２２：紙ケース  ２３：連結紙  ２４：折り線
２５：挿通孔    ２６：ゴム紐    ２７：スリーブ      ２８：包装紙
３：菓子函    ３０〜３２：紙ケース  ３３：連結紙  ３４：折り線
３５：挿通片    ３６：挿通孔    ３７：ワイド表示面
４：菓子函    ４０〜４２：スリーブ  ４３：連結紙  ４４：折り線
４５〜４７：紙ケース  ４８：粘着面    ４９：剥離紙
５：小物入れ  ５０〜５１：スリーブ  ５２：連結部折り線
５３〜５４：合成樹脂ケース        ５５〜５６：面ファスナ
６：小物入れ  ６０〜６２：木製ケース  ６３：薄鉄板  ６４：ゴム磁石
６５：ワイド表示面
【図１】
0005532860.tif 000002
【図２】
0005532860.tif 000003
【図３】
0005532860.tif 000004
【図４】
0005532860.tif 000005
【図５】
0005532860.tif 000006
【図６】
0005532860.tif 000007
【図７】
0005532860.tif 000008